(57)【要約】【課題】  音声遅延をなくして通話品質を維持できるデジタル通話装置を提供する。【解決手段】  ＶｏＩＰ電話機（デジタル通話装置）１０デジタル通信網２６と接続する網入力回路１７と、パケットデータを受信するパケットデータ受信部１８と、該データの揺らぎ吸収処理を行う揺らぎ吸収バッファ部１９と、前記データを復号化する音声復号化部２０と、復号化されたデジタル信号をアナログ信号に変換するＤ／Ａ変換部２１と、該アナログ信号を音声に変換する音声出力回路２２と、音声を出力するスピーカ２３と、復号化されたデータを格納するデータバッファ部２４を備え、パケットデータ受信部１８による受信処理の後、揺らぎ吸収処理と並行して復号化処理及び復号化されたデータのデータバッファ部２４への格納を行い、前記揺らぎ吸収処理の後、データバッファ部２４からデータを読み出してＤ／Ａ変換する構成とする。【選択図】        図１
2005073057.tif 000002
【特許請求の範囲】
【請求項１】
音声を取り込んでＡ／Ｄ変換してパケットデータをデジタル通信網へ出力する送信用手段と、デジタル通信網から音声データを受信してＤ／Ａ変換して出力する受信用手段とを備えたデジタル通話装置において、
前記受信用手段に、復号化されたデータを格納するデータバッファ部を設け、パケットデータ受信処理の後、揺らぎ吸収処理と並行して復号化処理及び復号化されたデータの前記データバッファ部への格納を行い、前記揺らぎ吸収処理の後、前記データバッファ部からデータを読み出してＤ／Ａ変換することを特徴とするデジタル通話装置。
【請求項２】
デジタル通信網と接続する網入力回路と、パケットデータを受信するパケットデータ受信部と、該データの揺らぎ吸収処理を行う揺らぎ吸収バッファ部と、前記データを復号化する音声復号化部と、復号化されたデジタル信号をアナログ信号に変換するＤ／Ａ変換部と、該アナログ信号を音声に変換する音声出力回路と、音声を出力するスピーカとを備えたデジタル通話装置において、
復号化されたデータを格納するデータバッファ部を設け、前記パケットデータ受信部による受信処理の後、揺らぎ吸収処理と並行して復号化処理及び復号化されたデータの前記データバッファ部への格納を行い、前記揺らぎ吸収処理の後、前記データバッファ部からデータを読み出してＤ／Ａ変換することを特徴とするデジタル通話装置。
【発明の詳細な説明】
【技術分野】
【０００１】
本発明は、デジタル通信網を利用したＶｏＩＰ電話等のデジタル通話装置に関するものである。
【背景技術】
【０００２】
近年、インターネットの普及とともにＶｏＩＰ（Voice over IP）、所謂「インターネット電話」が普及してきている。これは、インターネットで使われているＩＰネットワーク上で音声情報を伝達する技術を用いている。電話会社の電話の場合、高価な電話交換機が必要となるが、ＩＰネットワークの場合は安価なルータなどだけで済み器材価格も安価になり、電話サービスもその分安価に実現できる利点がある。
【０００３】
しかし、インターネットで行われているパケット通信は離散的なデータの通信には適しているものの、電話や放送等、音声や画像データ等の連続的なデータを受信側で即座に再生する形態の通信には不向きであって、例えば、電話の場合は音声が遅延するという問題がある。
【０００４】
そこで、特許文献１では、発呼側電話機から送信される音声情報をパケット化してインターネットを介して着呼側電話機に順次送信する発信局と、該発信局から送信されるパケットを受信して、該パケットに含まれる音声情報を着呼側電話機に順次送信する着信局と、を含む通話システムにおいて、パケットに含まれる音声情報の着信局から着呼側電話機への送信の遅れを表す送信遅延時間を計測し、その送信遅延時間に基づいて音声情報の一部を削除する方法が提案されている。
【特許文献１】特開平１０−１６４１２９号公報
【発明の開示】
【発明が解決しようとする課題】
【０００５】
現在では通常、ＶｏＩＰ電話機内で音声の入出力からパケットの送受信処理までを行っている。図３は、従来のＶｏＩＰ電話機における送信側の動作を示すフローチャートである。ＶｏＩＰ電話機の使用中には、ステップＳ２０においてマイクで音声を取り込み、ステップＳ２１へ進んで音声入力回路において、マイクで取り込んだ音声を電気信号に変換する。
【０００６】
続いて、ステップＳ２２へ進んで、Ａ／Ｄ変換部において音声入力回路からのアナログ信号をデジタル信号に変換し、ステップＳ２３へ進んで音声符号化部において、デジタル信号を符号化する。
【０００７】
次に、ステップＳ２４へ進んでパケットデータ送信部において、符号化されたデータをパケット送信する処理を行い、ステップＳ２５へ進んで網出力回路からデジタル通信網へパケットデータを出力する。
【０００８】
また、通話先から送信されてきたパケットデータの処理を図４を参照して説明する。ステップＳ３０において網入力回路がデジタル通信網からパケットデータを受信すると、ステップＳ３１へ進んでパケットデータ受信部において、パケットデータの受信処理を行う。
【０００９】
続いて、ステップＳ３２へ進んで揺らぎ吸収バッファ部において、受信したデータの揺らぎ吸収処理を行う。その後、ステップＳ３３へ進んで音声復号化部において、デジタル信号を復号化し、ステップＳ３４へ進んでＤ／Ａ変換部において、復号化されたデジタル信号をアナログ信号に変換する。
【００１０】
次に、ステップＳ３５へ進んで音声出力回路において、アナログ信号を音声に変換し、ステップＳ３６へ進んでスピーカから音声を出力する。
【００１１】
上記の受信動作において、ステップＳ３１〜Ｓ３４の各処理時間がかかるため通話中に音声の遅れが発生する。特にステップＳ３３の復号化の方式によっては時間がかかる場合がある。
【００１２】
本発明は、音声の遅れをなくして通話品質を維持できるデジタル通話装置を提供することを目的とする。
【課題を解決するための手段】
【００１３】
上記目的を達成するために本発明は、音声を取り込んでＡ／Ｄ変換してパケットデータをデジタル通信網へ出力する送信用手段と、デジタル通信網から音声データを受信してＤ／Ａ変換して出力する受信用手段とを備えたデジタル通話装置において、前記受信用手段に、復号化されたデータを格納するデータバッファ部を設け、パケットデータ受信処理の後、揺らぎ吸収処理と並行して復号化処理及び復号化されたデータの前記データバッファ部への格納を行い、前記揺らぎ吸収処理の後、前記データバッファ部からデータを読み出してＤ／Ａ変換することを特徴とする。
【００１４】
また本発明は、デジタル通信網と接続する網入力回路と、パケットデータを受信するパケットデータ受信部と、該データの揺らぎ吸収処理を行う揺らぎ吸収バッファ部と、前記データを復号化する音声復号化部と、復号化されたデジタル信号をアナログ信号に変換するＤ／Ａ変換部と、該アナログ信号を音声に変換する音声出力回路と、音声を出力するスピーカとを備えたデジタル通話装置において、復号化されたデータを格納するデータバッファ部を設け、前記パケットデータ受信部による受信処理の後、揺らぎ吸収処理と並行して復号化処理及び復号化されたデータの前記データバッファ部への格納を行い、前記揺らぎ吸収処理の後、前記データバッファ部からデータを読み出してＤ／Ａ変換することを特徴とする。
【発明の効果】
【００１５】
本発明によれば、従来揺らぎ吸収処理の後に行っていた復号化を、揺らぎ吸収処理と並行して行い復号化後のデータを格納しておくことにより、復号化待ちの状態を回避でき、音声の遅れをなくして通話品質を維持することができる。
【発明を実施するための最良の形態】
【００１６】
以下、デジタル通話装置としてＶｏＩＰ電話機を例に説明する。図１はＶｏＩＰ電話機１０の構成を示すブロック図、図２は受信用手段の動作を示すフローチャートである。
【００１７】
ＶｏＩＰ電話機は、インターネットや公衆デジタル回線等のデジタル通信網を介して他の電話機に接続される。他の電話機はＶｏＩＰ電話機の他に固定電話機や移動電話機でもよい。
【００１８】
図１に示すように、ＶｏＩＰ電話機１０は、音声を取り込んでＡ／Ｄ変換してパケットでデータをデジタル通信網２６へ出力する送信用手段と、デジタル通信網２６から音声データを受信してＤ／Ａ変換して出力する受信用手段とを備え、これらは制御部２５で制御される。
【００１９】
この送信用手段は、音声を取り込むマイク１１と、マイク１１からの音声を電気信号に変換する音声入力回路１２と、音声入力回路１２からのアナログ信号をデジタル信号に変換するＡ／Ｄ変換部１３と、デジタル信号を符号化する音声符号化部１４と、符号化されたデータをパケット送信するパケットデータ送信部１５と、デジタル通信網２６と接続する網出力回路１６とから構成される。そして、送信動作は従来例で説明した図３と同様である。
【００２０】
一方、受信用手段は、デジタル通信網２６と接続する網入力回路１７と、パケットデータを受信するパケットデータ受信部１８と、該データの揺らぎ吸収処理を行う揺らぎ吸収バッファ部１９と、デジタル信号を復号化する音声復号化部２０と、復号化されたデータを格納するデータバッファ部２４と、復号化されたデジタル信号をアナログ信号に変換するＤ／Ａ変換部２１と、該アナログ信号を音声に変換する音声出力回路２２と、音声を出力するスピーカ２３とから構成される。
【００２１】
次に、通話先から送信されてきたパケットデータの処理を図２を参照して説明する。ステップＳ１０において網入力回路１７がデジタル通信網２６からパケットデータを受信すると、ステップＳ１１へ進んでパケットデータ受信部１８において、パケットデータの受信処理を行う。
【００２２】
続いて、ステップＳ１２へ進んで揺らぎ吸収バッファ部１９において、受信したデータの揺らぎ吸収処理を行うとともに、並行して音声復号化部２０において、デジタル信号を復号化し、データバッファ部２４に格納する。その後、ステップＳ１３へ進んでデータバッファ部２４からデータを読み出し、ステップＳ１４へ進んでＤ／Ａ変換部２１において、復号化されたデジタル信号をアナログ信号に変換する。
【００２３】
そして、ステップＳ１５へ進んで音声出力回路２２において、アナログ信号を音声に変換し、ステップＳ１６へ進んでスピーカ２３から音声を出力する。
【００２４】
このように、従来揺らぎ吸収処理の後に行っていた復号化を、揺らぎ吸収処理と並行して行い復号化後のデータを格納しておくことにより、復号化待ちの状態を回避できる。つまり、揺らぎ吸収処理中に、復号化されたデータがデータバッファ部２４に格納されるため、揺らぎ吸収処理後は速やかにデータバッファ部２４のデータを読み出すことができるので、音声の遅れをなくして通話品質を維持することが可能となる。
【産業上の利用可能性】
【００２５】
本発明は、固定電話や移動電話等の各種電話機をはじめ、ＶｏＩＰ技術を用いたデジタル通話装置に利用することができる。
【図面の簡単な説明】
【００２６】
【図１】本発明のＶｏＩＰ電話機の構成を示すブロック図である。
【図２】本発明の受信用手段の動作を示すフローチャートである。
【図３】従来のＶｏＩＰ電話機における送信側の動作を示すフローチャートである。
【図４】従来の受信用手段の動作を示すフローチャートである。
【符号の説明】
【００２７】
１０    ＶｏＩＰ電話機（デジタル通信装置）
１１    マイク
１２    音声入力回路
１４    音声符号化部
１５    パケットデータ送信部
１６    網出力回路
１７    網入力回路
１８    パケットデータ受信部
１９    揺らぎ吸収バッファ部
２０    音声復号化部
２１    Ｄ／Ａ変換部
２２    音声出力部
２３    スピーカ
２４    計測部
２５    制御部
２６    デジタル通信網
【図１】
2005073057.tif 000003
【図２】
2005073057.tif 000004
【図３】
2005073057.tif 000005
【図４】
2005073057.tif 000006